(57)【要約】【課題】液体空気をエネルギーとして貯蔵するのに要する動力を低減できるようする。【解決手段】混焼火力発電システム１０は、液体空気エネルギー貯蔵装置１２と混焼火力発電設備１４とを備えている。液体空気エネルギー貯蔵装置１２は、液化天然ガスによって空気を予冷する第１熱交換器３３と、第１熱交換器３３で予冷された空気を液体水素によって冷却して液化させる第２熱交換器３５と、第２熱交換器３５で液化した液体空気を貯蔵するタンク１６と、を備えている。発電設備１４は、タンク１６に貯蔵された液体空気を気化させる気化器４２と、気化器４２で気化した空気と、第１熱交換器３３を通過した液化天然ガスと、第２熱交換器３５を通過した液体水素と、を用いて発電を行う。【選択図】図１
2020008132.tif 000002
【特許請求の範囲】
【請求項１】
液化天然ガスによって空気を予冷する第１熱交換器と、
前記第１熱交換器で予冷された空気を液体水素によって冷却して液化させる第２熱交換器と、
前記第２熱交換器で液化した液体空気を貯蔵するタンクと、を備えている液体空気エネルギー貯蔵装置。
【請求項２】
請求項１に記載の液体空気エネルギー貯蔵装置において、
前記第２熱交換器で液化される前の空気を圧縮する圧縮機をさらに備えている液体空気エネルギー貯蔵装置。
【請求項３】
請求項１に記載の液体空気エネルギー貯蔵装置において、
前記液体水素の流量及び液体空気の要求充填量を監視する監視部と、
前記監視部による監視結果に基づいて、前記タンクに向けて流す空気の流量を決定する流量決定部と、
前記流量決定部の決定結果に従って、前記タンクに向けて流れる空気の流量を調整する流量調整部と、を備えている液体空気エネルギー貯蔵装置。
【請求項４】
請求項１に記載の液体空気エネルギー貯蔵装置において、
複数段の圧縮ステージを有し、前記第２熱交換器で液化される前の空気を圧縮する圧縮機と、
前記圧縮機における後段側の圧縮ステージをバイパスするバイパスラインと、
前記タンクの内圧を監視する圧力センサと、
前記タンクの内圧を調整する調圧弁と、
前記後段側の圧縮ステージをバイパスさせるかどうかを切り換える切換機構と、を備えている液体空気エネルギー貯蔵装置。
【請求項５】
請求項４に記載の液体空気エネルギー貯蔵装置において、
液体空気の要求充填量を監視する監視部と、
前記監視部による監視結果に基づいて、前記タンクに充填される液体空気の圧力を決定する圧力決定部と、
前記圧力決定部の決定結果に従って、前記切換機構及び前記調圧弁を制御する圧力調整部と、を備えている液体空気エネルギー貯蔵装置。
【請求項６】
請求項１から５の何れか１項に記載の液体空気エネルギー貯蔵装置と、
発電要求に応じて、前記タンクに貯蔵された液体空気を気化させるとともに、気化した空気で発電を行う発電部と、を備えている発電装置。
【請求項７】
請求項１から５の何れか１項に記載の液体空気エネルギー貯蔵装置と、
前記タンクに貯蔵された液体空気を気化させる気化器と、
前記気化器で気化した空気と、前記第１熱交換器を通過した液化天然ガスと、前記第２熱交換器を通過した液体水素と、を用いて発電を行う混焼火力発電設備と、を備えている混焼火力発電システム。
【発明の詳細な説明】
【技術分野】
【０００１】
本発明は、液体空気エネルギー貯蔵装置、発電装置及び混焼火力発電システムに関するものである。
【背景技術】
【０００２】
従来、下記特許文献１に開示されているように、空気を冷却して液体空気として蓄える液体空気エネルギー貯蔵装置が知られている。具体的に、特許文献１に開示された装置は、図７に示すように、大気中の空気を液化する液化設備８１と、液化設備８１で液化された液化空気を貯蔵する貯蔵用タンク８２と、を備えている。液化設備８１には、液化天然ガス（ＬＮＧ）の冷熱を利用して空気を約−１５０℃程度に冷却する第１の熱交換器８１ａと、冷却された空気を８０気圧程度に圧縮する圧縮機８１ｂと、圧縮された空気を高圧のままさらに約−１６０℃程度に冷却する複数の熱交換器８１ｃと、冷却された空気を自由膨張させる膨張機構８１ｄと、を備えている。熱交換器８１ｃで低温となった空気が膨張機構８１ｄによって急速に自由膨張することによって、一部が液化し、貯蔵用タンク８２に貯蔵される。貯蔵用タンク８２に貯蔵された液体空気は、発電設備８３に供給されて、発電に利用される。
【先行技術文献】
【特許文献】
【０００３】
【特許文献１】特開平４−１２７８５０号公報
【発明の概要】
【発明が解決しようとする課題】
【０００４】
特許文献１に開示された液体空気エネルギー貯蔵装置では、液化天然ガスのみを用いて空気を冷却する構成であるため、圧縮機８１ｂによる空気の圧縮が必要となっている。すなわち、ＬＮＧは約−１６０℃である一方で、空気の凝縮温度は約−１９０℃であるため、常圧で空気を液化することはできない。このため、ＬＮＧの冷熱で空気を液化するには、空気を高圧に圧縮する必要がある。したがって、ＬＮＧを冷熱源として液体空気を生成してエネルギー貯蔵を行うには、莫大な動力が必要になるという問題がある。
【０００５】
そこで、本発明の目的は、液体空気をエネルギーとして貯蔵するのに要する動力を低減できるようすることにある。
【課題を解決するための手段】
【０００６】
前記の目的を達成するため、本発明は、液化天然ガスによって空気を予冷する第１熱交換器と、前記第１熱交換器で予冷された空気を液体水素によって冷却して液化させる第２熱交換器と、前記第２熱交換器で液化した液体空気を貯蔵するタンクと、を備えている液体空気エネルギー貯蔵装置である。
【０００７】
本発明では、第１熱交換器において液化天然ガスによって冷却された空気が、第２熱交換器においてさらに液体水素によって冷却される。これにより、空気は液体空気となり、タンクに貯蔵される。すなわち、液体空気としてエネルギーを貯蔵することができる。本発明では、空気を液化させるにあたり、空気の凝縮温度よりも低温の液体水素が用いられるため、空気を圧縮する必要がなく、あるいは空気を圧縮することがあるとしても、液化天然ガスのみで空気を液化させる場合に比べて空気の圧縮に要する動力を低減することができる。したがって、貯蔵するために必要な動力以上のエネルギーをタンクに貯蔵することが可能となる。そして、例えば液体空気を発電に用いる場合には、充放電効率を高くすることができる。
【０００８】
前記液体空気エネルギー貯蔵装置は、前記第２熱交換器で液化される前の空気を圧縮する圧縮機をさらに備えていてもよい。
【０００９】
この態様では、第２熱交換器において液体水素に冷却される空気が圧縮されて加圧された状態となっているので、常圧の液体空気に比べ、液体空気の沸点が上昇している。このため、第２熱交換器で空気を液化させるだけでなく、第１熱交換器においても空気の一部を液化させることが可能となる。したがって、圧縮動力がより必要になるものの、得られる液体空気量を増大させることができる。しかも、液体水素の冷熱によっても空気の一部を液化させることができる。したがって、液化天然ガスのみで空気を液化させる場合に比べて空気の圧縮に要する動力を低減することができる。そして、例えば液体空気を発電に用いる場合には、充放電効率が低下することとなるが、発電量を増大させることができる。
【００１０】
前記液体空気エネルギー貯蔵装置は、前記液体水素の流量及び液体空気の要求充填量を監視する監視部と、前記監視部による監視結果に基づいて、前記タンクに向けて流す空気の流量を決定する流量決定部と、前記流量決定部の決定結果に従って、前記タンクに向けて流れる空気の流量を調整する流量調整部と、を備えていてもよい。
【００１１】
この態様では、液体水素の流量及び液体空気の要求充填量に応じて適切な空気流量を得ることができる。すなわち、流量決定部は、タンクに向けて流す空気の流量を、液体空気の要求充填量に応じた流量になるように決定するか、又は、第２熱交換器に供給される液体水素の流量に応じた流量になるように決定する。そして、流量調整部は、この結果に従って空気の流量を調整する。したがって、適切な空気流量に調整することができる。なお、流量調整部としては、回転数を調整することができる送風機、回転数を調整することができる圧縮機等を用いることができる。したがって、第２熱交換器で液化させる前の空気を圧縮する圧縮機を備えた構成では、空気が液化するときの温度又は空気の凝縮温度を調整するのに用いられる圧縮機を流量調整部としても機能させることができる。
【００１２】
前記液体空気エネルギー貯蔵装置は、複数段の圧縮ステージを有し、前記第２熱交換器で液化される前の空気を圧縮する圧縮機と、前記圧縮機における後段側の圧縮ステージをバイパスするバイパスラインと、前記タンクの内圧を監視する圧力センサと、前記タンクの内圧を調整する調圧弁と、前記後段側の圧縮ステージをバイパスさせるかどうかを切り換える切換機構と、を備えていてもよい。
【００１３】
この態様では、第２熱交換器で液化される前の空気が圧縮機によって圧縮されるため、空気が液化するときの温度を上げることが可能となる。このため、第２熱交換器で空気を液化させるだけでなく、第１熱交換器においても空気の一部を液化させることが可能となる。しかも、調圧弁によってタンク内の圧力を調整することができるため、調圧弁の開閉によってタンク内の圧力が調整され、これによって、空気ライン内の圧力が調整される。そして、切換機構が設けられているため、各圧縮ステージの特性を考慮しつつ設定圧力に適切に対応することができる。
【００１４】
前記液体空気エネルギー貯蔵装置は、液体空気の要求充填量を監視する監視部と、前記監視部による監視結果に基づいて、前記タンクに充填される液体空気の圧力を決定する圧力決定部と、前記圧力決定部の決定結果に従って、前記切換機構及び前記調圧弁を制御する圧力調整部と、を備えていてもよい。
【００１５】
この態様では、圧力決定部は、監視部による監視結果に基づいて、タンクに充填される液体空気の圧力を決定する。すなわち、タンクに充填される液体空気の圧力を上げれば、空気が液化するときの温度が上がる。このため、第１熱交換器において、液化天然ガスによって空気の一部を液化させることが可能となる。したがって、圧力決定部は、液体空気の要求充填量の監視結果に基づいて、タンクに充填される液体空気の圧力を決定することにより、適切な液化量に設定することが可能となる。そして、切換機構及び調圧弁を制御することにより、タンクに充填される液体空気の圧力を調整することができる。
【００１６】
本発明は、前記液体空気エネルギー貯蔵装置と、発電要求に応じて、前記タンクに貯蔵された液体空気を気化させるとともに、気化した空気で発電を行う発電部と、を備えている発電装置である。この発明では、タンクに貯蔵された液化空気のエネルギーを電力として取り出すことができる。
【００１７】
本発明は、前記液体空気エネルギー貯蔵装置と、前記タンクに貯蔵された液体空気を気化させる気化器と、前記気化器で気化した空気と、前記第１熱交換器を通過した液化天然ガスと、前記第２熱交換器を通過した液体水素と、を用いて発電を行う混焼火力発電設備と、を備えている混焼火力発電システムである。この発明では、タンクに貯蔵された液化空気のエネルギーを電力として取り出すことができる。しかも、空気を液化させるのに利用される液化天然ガス及び液体水素を燃料として利用できるため、システム全体として効率的な運転が可能となる。
【発明の効果】
【００１８】
以上説明したように、本発明によれば、液体空気をエネルギーとして貯蔵するのに要する動力を低減することができる。
【図面の簡単な説明】
【００１９】
【図１】第１実施形態に係る混焼火力発電システムの構成を概略的に示す図である。
【図２】第２実施形態に係る混焼火力発電システムの構成を概略的に示す図である。
【図３】第２実施形態に係る混焼火力発電システムの運転動作を説明するための図である。
【図４】第３実施形態に係る混焼火力発電システムの構成を概略的に示す図である。
【図５】第４実施形態に係る混焼火力発電システムの構成を概略的に示す図である。
【図６】第４実施形態に係る混焼火力発電システムの運転動作を説明するための図である。
【図７】従来の液体空気エネルギー貯蔵装置の構成を示す図である。
【発明を実施するための形態】
【００２０】
以下、本発明を実施するための形態について図面を参照しながら詳細に説明する。
【００２１】
（第１実施形態）
図１に示すように、第１実施形態に係る混焼火力発電システム１０は、液化天然ガス（ＬＮＧ）及び液体水素（ＬＨ２）を燃料とする火力発電システムであり、当該システム１０は、液体空気エネルギー貯蔵装置（以下単に、貯蔵装置と称する）１２と、混焼火力発電設備（以下単に、発電設備と称する）１４と、を備えている。貯蔵装置１２は、液化天然ガス及び液体水素を用いて空気を冷却し、液体空気を生成する。発電設備１４は、貯蔵装置１２で利用された後の液化天然ガス及び液体水素を燃焼させて高圧蒸気を生成し、この高圧蒸気によってタービン１４ａを駆動して発電を行う。
【００２２】
貯蔵装置１２は、液体空気を貯めるためのタンク１６と、空気を液化させるための空気ライン１７と、液化天然ガスを流すＬＮＧライン１８と、液体水素を流す液体水素ライン１９と、を備えている。ＬＮＧライン１８の一端部には、液化天然ガスが貯留されたＬＮＧタンク２１に接続されている。液体水素ライン１９の一端部には、液体水素が貯留されたＬＨ２タンク２３に接続されている。ＬＮＧライン１８及び液体水素ライン１９には、それぞれポンプ１８ａ，１９ａが設けられている。ＬＮＧライン１８のポンプ１８ａは、ＬＮＧタンク２１から液化天然ガスを吸引して、ＬＮＧライン１８内に液化天然ガスを流動させる。液体水素ライン１９のポンプ１９ａは、ＬＨ２タンク２３から液体水素を吸引して、液体水素ライン１９内に液体水素を流動させる。
【００２３】
空気ライン１７は、一端部が開放していて、大気（空気）を導入可能となっている。空気ライン１７の他端部はタンク１６に接続されている。空気ライン１７には、ブロア３１と、第１熱交換器３３と、第２熱交換器３５とがこの順に設けられている。
【００２４】
ブロア３１は、空気ライン１７をタンク１６に向けて空気が流れるように空気を加圧する加圧器である。第１実施形態では、タンク１６内の圧力が大気圧程度に設定されるため、ブロア３１は、大気圧に圧力損失分を加えた圧力程度に空気を加圧すればよい。
【００２５】
第１熱交換器３３は、ＬＮＧライン１８にも接続されており、ＬＮＧライン１８を流れる液化天然ガスによって空気ライン１７を流れる空気を冷却させる。液化天然ガスの温度は、約−１６０℃であって、大気圧下での空気の凝縮温度（−１９０℃）よりも高い。このため、第１熱交換器３３においては、空気は凝縮しない。
【００２６】
第２熱交換器３５は、空気ライン１７において、空気の流れる方向における第１熱交換器３３の下流側に配置されている。したがって、第２熱交換器３５には、第１熱交換器３３で液化天然ガスによって冷却された空気が導入される。第２熱交換器３５は、液体水素ライン１９にも接続されており、液体水素ライン１９を流れる液体水素によって空気ライン１７を流れる空気を冷却させる。液体水素の温度は、約−２５０℃であって、大気圧下での空気の凝縮温度よりも低い。このため、第２熱交換器３５において、空気は凝縮する。すなわち、第１実施形態では、空気ライン１７において、空気を高圧に圧縮しないで液化させることができる。
【００２７】
ＬＮＧライン１８の下流端及び液体水素ライン１９の下流端は、それぞれ発電設備１４に接続されている。したがって、空気を凝縮させる前に空気を予冷するのに利用された液化天然ガスが発電設備１４に燃料として供給される。そして、空気を液化させるのに利用された液体水素が発電設備１４に燃料として供給される。
【００２８】
タンク１６は、空気ライン１７の下流端（開放された一端部と反対側の端）に接続されている。したがって、タンク１６には、第２熱交換器３５において液化した液体空気が流入する。
【００２９】
タンク１６には、液体空気を導出させる導出ライン３８が接続されている。導出ライン３８には、液体空気ポンプ４１と、気化器４２と、空気タービン４３とが設けられている。導出ライン３８の下流端（タンク１６の接続端と反対側の端）は、発電設備１４に接続されている。
【００３０】
液体空気ポンプ４１は、発電要求に応じて作動し、液体空気を気化器４２に送る駆動力を液体空気に与える。気化器４２は、液体空気を空気や水と熱交換させて液体空気を気化させる。これにより高圧空気が得られる。気化器４２で得られた高圧の空気は、空気タービン４３を駆動し、これにより、発電が行われる。すなわち、液体空気ポンプ４１、気化器４２及び空気タービン４３は、発電要求に応じて、タンク１６に貯蔵された液体空気を気化させるとともに、気化した空気で発電を行う発電部として機能する。
【００３１】
また、空気タービン４３を駆動した高圧の空気は、発電設備１４に導入される。発電設備１４では、高圧空気を燃料ガスに混合して燃焼用として利用してもよく、あるいは、高圧空気を発電機に接続されたタービンを駆動するのに利用してもよい。
【００３２】
なお、空気タービン４３は、省略されてもよい。また、導出ライン３８が発電設備１４に接続されるのではなく、気化器４２で得られた高圧の空気は、大気中に放出されてもよい。また、気化器４２を省略して液体空気を大気中に放出してもよい。
【００３３】
ここで、混焼火力発電システム１０の運転動作について説明する。空気ライン１７のブロア３１が作動すると、大気（空気）が空気ライン１７に吸引される。この空気は空気ライン１７を流れる。一方、ＬＮＧライン１８のポンプと液体水素ライン１９のポンプも作動する。これにより、ＬＮＧタンク２１内の液化天然ガスがＬＮＧライン１８に吸入されて、ＬＮＧライン１８を流れる。また、ＬＨ２ランク内の液体水素が液体水素ライン１９に吸入されて、液体水素ライン１９を流れる。
【００３４】
第１熱交換器３３において、空気ライン１７を流れる空気とＬＮＧライン１８を流れる液化天然ガスとが熱交換し、空気は例えば−１５５℃程度に冷却される。すなわち、空気は、凝縮温度までは冷却されないため、凝縮することなく空気のまま第１熱交換器３３から流出する。
【００３５】
第１熱交換器３３で冷却された空気は第２熱交換器３５に流入する。第２熱交換器３５においては、空気は液体水素ライン１９を流れる液体水素と熱交換する。液体水素の温度は、約−２５０℃であるため、第２熱交換器３５において、空気は凝縮し、液体空気となる。すなわち、空気ライン１７において、前段に液化天然ガスとの熱交換器３３が配置され、その後段に、液化天然ガスよりも低温の液体水素との熱交換器３５が配置されている。したがって、液化天然ガス及び液体水素の冷熱を有効利用することができる。第２熱交換器３５において空気は液体水素の冷熱によってのみ凝縮するため、第１熱交換器３３は、空気の予冷を行う熱交換器として機能している。
【００３６】
第１熱交換器３３で空気を冷却した液化天然ガス及び第２熱交換器３５で空気を凝縮させた液体水素は、何れも発電設備１４に供給される。液化天然ガス及び液体水素は、発電設備１４において燃焼され、高圧蒸気を生成させるのに用いられる。そして、高圧蒸気によってタービン１４ａが駆動され、発電が行われる。
【００３７】
第２熱交換器３５において凝縮した液体空気は、タンク１６に貯留される。タンク１６内の圧力は大気圧よりも僅かに高い圧力で略一定となる。タンク１６内に貯留された液体空気は、液体空気ポンプ４１に吸引されて導出ライン３８を流れる。この液体空気は、気化器４２で加熱されて気化し、高圧の空気となる。なお、気化器４２では、液体空気は、水や空気によって加熱されて気化する。
【００３８】
この高圧の空気は、空気タービン４３を駆動して、発電に供せられる。また、高圧の空気は発電設備１４にも供せられ、発電設備１４での発電にも供せられる。
【００３９】
第１実施形態では、ブロア３１、ポンプ１８ａ，１９ａ及び液体空気ポンプ４１の駆動動力が必要になるだけであるため、充放電効率が高く、２００％を超える場合も起こり得る。したがって、充放電のエネルギー収支では、発電量が充電量を上回ることが可能である。また、液化天然ガスと液体水素を大量に消費するプロセスに適用でき、液化天然ガス及び液体水素の冷熱を有効に利用することができる。
【００４０】
以上説明したように、第１実施形態では、第１熱交換器３３において液化天然ガスによって冷却された空気が、第２熱交換器３５においてさらに液体水素によって冷却される。これにより、空気は液体空気となり、タンク１６に貯蔵される。すなわち、液体空気としてエネルギーを貯蔵することができる。第１実施形態では、空気を液化させるにあたり、空気の凝縮温度よりも低温の液体水素が用いられる。このため、空気を圧縮する必要がなく、あるいは空気を圧縮することがあるとしても、液化天然ガスのみで空気を液化させる場合に比べて空気の圧縮に要する動力を低減することができる。したがって、貯蔵するために必要な動力以上のエネルギーをタンク１６に貯蔵することが可能となる。したがって、充放電効率を高くすることができる。
【００４１】
なお、第１実施形態では、貯蔵装置１２が混焼火力発電システム１０の構成要素として構成されているが、これに限られない。例えば、貯蔵装置１２は、混焼火力発電以外の発電装置の構成要素として構成されていてもよい。すなわち、空気タービン４３において発電を行う一方で、液化天然ガス及び液体水素は、発電以外の用途に用いられてもよい。
【００４２】
また、第１実施形態では、貯蔵装置１２に貯蔵された液体空気エネルギーを電気エネルギーとして取り出す構成としたが、これに限られない。電気エネルギーではなく、機械エネルギー又は冷熱を取り出す構成としてもよい。以下の実施形態でも同様である。
【００４３】
（第２実施形態）
図２は第２実施形態を示す。尚、ここでは第１実施形態と同じ構成要素には同じ符号を付し、その詳細な説明を省略する。
【００４４】
第２実施形態では、貯蔵装置１２が制御部４８を有しており、制御部４８は、再生可能エネルギーを電気エネルギーに変換する変換設備５０に接続されている。変換設備５０は、例えば、太陽光発電設備、太陽熱発電設備、風力発電設備、水力発電設備又は波力発電設備等によって構成されている。変換設備５０は、再生可能エネルギーから得られた電力に余剰分が生じた場合に、この電力余剰分を表す信号を出力する。この信号は制御部４８に入力される。制御部４８では、この信号が表す電力余剰分に応じて、液体空気の充填量が決定されるため、当該信号は、液体空気の要求充填量を表す信号又は貯蔵装置１２での充電を要求するための充電要求信号としても機能する。
【００４５】
液体水素ライン１９には、液体水素ライン１９を流れる液体水素の流量を検出する流量計１９ｂが設けられている。流量計１９ｂは、検出された流量に応じた信号を出力する。流量計１９ｂから出力された信号は制御部４８に入力される。なお、液体水素流量及び液化天然ガス流量は、発電設備１４から出される要求に応じた流量となっている。
【００４６】
タンク１６には、貯留されている液体空気の量に応じた信号を出力するレベルセンサ１６ａが設けられている。レベルセンサ１６ａから出力された信号は、制御部４８に入力される。
【００４７】
制御部４８は、液体水素の流量及び液体空気の要求充填量を監視する監視部５２と、監視部５２による監視結果に基づいてブロア３１の回転数を決定する流量決定部５３と、タンク１６のレベルセンサ１６ａから出力された信号に基づいて、液体空気を生成することが可能か否かを決定する生成判断部５４と、を備えている。監視部５２は、変換設備５０から出力された信号が表す電力余剰分によって生成可能な液体空気量に応じた空気流量を算出する第１導出部５２ａと、流量計１９ｂから出力された信号が示す液体水素流量から生成可能な液体空気量に応じた空気流量を算出する第２導出部５２ｂと、を含む。
【００４８】
流量決定部５３は、第１導出部５２ａによって算出された空気流量と、第２導出部５２ｂによって得られた空気流量とを比較し、より少ない方の空気流量を設定流量として導出する生成量導出部５３ａと、生成量導出部５３ａによって導出された設定流量に基づいて、ブロア３１の回転数を決定する決定部５３ｂと、を含む。制御部４８は、生成判断部５４によって液体空気の生成が可能と判断された場合において、流量決定部５３による決定結果に応じた回転数でブロア３１を回転させるべく、ブロア３１のモータを制御する制御信号を出力する。この制御信号によってブロア３１の回転数が調整される。すなわち、ブロア３１は、流量決定部５３の決定結果に従って、タンク１６に向けて流れる空気の流量を調整する流量調整部として機能する。
【００４９】
ここで、図３を参照しつつ、第２実施形態に係る貯蔵装置１２の運転動作について説明する。まず、制御部４８は、タンク１６のレベルセンサ１６ａからの信号を受信する（ステップＳＴ１）。生成判断部５４は、この信号に基づいて、液体空気を生成することが可能か否かを決定する（ステップＳＴ２）。タンク１６内が液体空気で満たされた状態である場合は、ステップＳＴ２での判断がＮＯとなり、液体空気の生成を行わない（ステップＳＴ３）。一方、タンク１６内に更なる液体空気を充填することが可能と判断された場合（ステップＳＴ２においてＹＥＳ）には、制御部４８は、変換設備５０から出力された信号を取得するとともに、液体水素ライン１９の流量計１９ｂから出力された信号を取得する（ステップＳＴ４，ＳＴ５）。なお、ステップＳＴ４及びステップＳＴ５は、ステップＳＴ２の前に実行してもよい。
【００５０】
そして、制御部４８は、変換設備５０から出力された信号を受信したか否かを判断する（ステップＳＴ６）。すなわち、制御部４８は、変換設備５０に電力余剰分が生じた場合に出力される信号を受信したか否かを判断する。当該信号の受信が無いときにはステップＳＴ３に移る。当該信号の受信があると、ステップＳＴ７に移行し、制御部４８は、液化可能な空気量を計算する。すなわち、制御部４８は、再生可能エネルギーの余剰電力に応じた充電要求を受け取り、この充電要求に応じた量の空気液化量を充電量として決定する。具体的には、第１導出部５２ａが、変換設備５０から出力された信号が表す電力余剰分によって生成可能な液体空気量に応じた空気流量を算出し、第２導出部５２ｂが、流量計１９ｂによって検出された液体水素流量から生成可能な液体空気量に応じた空気流量を算出する。そして、生成量導出部５３ａは、第１導出部５２ａによって算出された空気流量と、第２導出部５２ｂによって得られた空気流量との比較を行い、比較の結果、より少ない方の空気流量を設定流量とする。生成量導出部５３ａによって設定流量が決定されると、決定部５３ｂは、設定流量に応じたブロア３１の回転数を決定し、制御部４８は、決定された回転数でブロア３１を作動するように制御信号を出力する。ブロア３１はこの制御信号にしたがった回転数で作動する（ステップＳＴ８）。このとき、制御部４８は、制御信号に従って作動したブロア３１のモータ動力を取得し（ステップＳＴ９）、この動力分を差し引いた電力でブロア３１が駆動されるように回転数を調整する。
【００５１】
ブロア３１の回転数が調整されると、それに応じた流量の空気が空気ライン１７を流れる。そして、この空気は、第１熱交換器３３で液化天然ガスによって予冷された後、第２熱交換器３５において液体水素に冷却されて凝縮し、液体空気となる。この液体空気はタンク１６に貯留され、新たに貯留された分に応じて、レベルセンサ１６ａの出力値は変化する。
【００５２】
タンク１６内に貯留された液体空気は、発電要求に応じて、液体空気ポンプ４１に吸引されて導出ライン３８を流れ、気化器４２で加熱されて気化し、高圧の空気となる。この高圧の空気は、空気タービン４３を駆動して、発電に供せられる。また、高圧の空気は発電設備１４にも供せられ、発電設備１４での発電にも供せられる。
【００５３】
第２実施形態では、液体水素の流量及び液体空気の要求充填量に応じて適切な空気流量を得ることができる。すなわち、流量決定部５３は、タンク１６に向けて流す空気の流量を、液体空気の要求充填量に応じた流量になるように決定するか、又は、第２熱交換器３５に供給される液体水素の流量に応じた流量になるように決定する。そして、ブロア３１は、この結果に従って空気の流量になるように回転数が調整される。したがって、適切な空気流量に調整することができる。
【００５４】
なお、その他の構成、作用及び効果はその説明を省略するが、前記第１実施形態の説明を第２実施形態に援用することができる。
【００５５】
（第３実施形態）
図４は本発明の第３実施形態を示す。尚、ここでは第１実施形態と同じ構成要素には同じ符号を付し、その詳細な説明を省略する。
【００５６】
第１実施形態では、タンク１６内において、液体空気がほぼ大気圧に近い圧力で貯留され、空気ライン１７に設けられたブロア３１は、空気が流れる程度に空気を加圧する。これに対し、第３実施形態では、タンク１６内において、液体空気が大気圧よりも相当程度高いレベルで圧縮された状態で貯留される。そのため、第３実施形態においては、空気ライン１７にブロア３１ではなく圧縮機５７が設けられている。
【００５７】
空気を圧縮する圧縮機５７は、空気ライン１７における第１熱交換器３３及び第２熱交換器３５よりも上流側に設けられている。このため、第２熱交換器３５には、大気圧よりも高い圧力まで加圧された空気が導入される。したがって、空気の凝縮温度を上げることができる。このため、空気を圧縮するための動力が必要になるものの、第１実施形態に比べて、空気の液化量を増大させることができる。すなわち、第１実施形態では、液化天然ガスは空気の予冷としてのみ利用され、液体水素が空気の液化を担っている。このため、空気の液化量は液体水素の流量に依存する。また、充電効率は高いが、急速充電要求に応えられない場合がある。これに対し、第３実施形態では、液化天然ガスの冷熱も空気の液化に利用される。したがって、急速充電要求にも応えることができる。
【００５８】
圧縮機５７は、複数段の圧縮ステージを有している。すなわち、圧縮機５７は、空気を圧縮するように構成された第１圧縮ステージ５７ａと、第１圧縮ステージ５７ａで圧縮された空気をさらに圧縮するように構成された第２圧縮ステージ５７ｂとを備えている。ただし、本実施形態では、これに限られるものではなく、圧縮機５７は、単段の圧縮ステージを備えた構成であってもよく、あるいは三段以上の圧縮ステージを有する構成であってもよい。
【００５９】
第１圧縮ステージ５７ａ及び第２圧縮ステージ５７ｂは、回転数調整可能な構成としてもよい。この場合、圧縮機５７（第１圧縮ステージ５７ａ及び第２圧縮ステージ５７ｂ）は、タンク１６に向けて流れる空気の流量を調整する流量調整部としても機能する。
【００６０】
空気ライン１７には、圧縮機５７で圧縮された空気を冷却する冷却器５８が設けられている。冷却器５８は、第１圧縮ステージ５７ａで圧縮された空気を冷却する第１冷却部５８ａと、第２圧縮ステージ５７ｂで圧縮された空気を冷却する第２冷却部５８ｂとを有する。冷却器５８の冷熱源としては、海水や空気を用いることができる。なお、冷却器５８は、全ての圧縮ステージ５７ａ，５７ｂに対して設けられている必要はなく、一部の冷却部が省略されていてもよい。また、冷却器５８は省略されていてもよい。
【００６１】
空気ライン１７には、最終圧縮ステージ５７ｂをバイパスするためのバイパスライン６０が接続されている。バイパスライン６０は、一端部が空気ライン１７における第１冷却部５８ａ（又は第１圧縮ステージ５７ａ）と第２圧縮ステージ５７ｂとの間に接続され、他端部が空気ライン１７における第２冷却部５８ｂ（又は第２圧縮ステージ５７ｂ）と第１熱交換器３３との間に接続されている。
【００６２】
バイパスライン６０及び空気ライン１７には、第１圧縮ステージ５７ａで圧縮された空気が第２圧縮ステージ５７ｂに流れる状態と、第２圧縮ステージ５７ｂをバイパスする状態との間で切り換えを行う切換機構６２が設けられている。切換機構６２は、バイパスライン６０に設けられた第１開閉弁６２ａと、空気ライン１７におけるバイパスライン６０の接続部間に設けられた第２開閉弁６２ｂとによって構成されている。
【００６３】
第１開閉弁６２ａが閉じられ、第２開閉弁６２ｂが開放されることにより、第１熱交換器３３に向けて流れる空気は、第２圧縮ステージ５７ｂ又は最終圧縮ステージから吐出されることになる。一方、第１開閉弁６２ａが開放され、第２開閉弁６２ｂが閉じられることにより、空気ライン１７に吸入された空気が最終圧縮ステージをバイパスする。すなわち、圧縮機５７の各ステージ５７ａ，５７ｂは、圧力比や流量によって動作特性、効率が変化するため、タンク１６圧力に応じて最も圧縮動力が小さくなるように、切換機構６２が制御される。なお、切換機構６２は、第１開閉弁６２ａ及び第２開閉弁６２ｂによって構成される形態に限られない。例えば、切換機構６２は、空気ライン１７とバイパスライン６０との接続部に配置された三方弁によって構成されていてもよい。
【００６４】
タンク１６には、タンク１６内の圧力を検出する圧力センサ６４と、タンク１６内の圧力を調整する調圧弁６５とが設けられている。調圧弁６５は、圧力センサ６４の検出圧力に応じて開閉される。
【００６５】
第３実施形態では、第２熱交換器３５で液化される前の空気が圧縮機５７によって圧縮されるため、空気が液化するときの温度を上げることが可能となる。このため、第２熱交換器３５で空気を液化させるだけでなく、第１熱交換器３３においても空気の一部を液化させることが可能となる。しかも、圧力センサ６４の検出圧力に応じて開閉制御される調圧弁６５がタンク１６に設けられている。このため、調圧弁６５の開閉によってタンク１６内の圧力が調整され、これによって、空気ライン１７内の圧力が調整される。すなわち、液化天然ガス及び液体水素の冷熱負荷の量に応じて空気の圧力設定が変更される。これにより、液体空気の製造量を調整することができる。一方で、圧縮機５７の各圧縮ステージ５７ａ，５７ｂには、効率良く運転できる領域（圧力比や流量）が存在するため、各圧縮ステージ５７ａ，５７ｂの特性を考慮して動力的に有利になるように、後段側の圧縮ステージ５７ｂをバイパスするかどうかを決定する必要がある。したがって、切換機構６２が、圧力の設定値に応じて、後段側の圧縮ステージ５７ｂをバイパスするかどうかを切り換えることにより、設定圧力に適切に対応することができる。
【００６６】
発電設備１４において、水素混焼率が低く抑えられる場合には、液体水素ライン１９を流れる水素流量が低く抑えられることになるが、その場合においても、液化天然ガスの冷熱によって空気を液化する構成とすることにより、空気液化量が制限されることを抑制することができる。
【００６７】
なお、その他の構成、作用及び効果はその説明を省略するが、前記第１実施形態の説明を第３実施形態に援用することができる。
【００６８】
（第４実施形態）
図５は本発明の第４実施形態を示す。尚、ここでは第２実施形態及び第３実施形態と同じ構成要素には同じ符号を付し、その詳細な説明を省略する。
【００６９】
この第４実施形態では、ＬＮＧライン１８及び液体水素ライン１９にそれぞれ流量計１８ｂ，１９ｂが設けられ、タンク１６には、レベルセンサ１６ａ及び圧力センサ６４が設けられている。ＬＮＧライン１８の流量計１８ｂは、ＬＮＧライン１８を流れるＬＮＧの流量を検出し、検出流量に応じた信号を出力する。液体水素ライン１９の流量計１９ｂは、液体水素ライン１９を流れる液体水素の流量を検出し、検出流量に応じた信号を出力する。レベルセンサ１６ａは、タンク１６に貯留されている液体空気の量に応じた信号を出力する。圧力センサ６４は、タンク１６内の圧力を検出し、検出圧力に応じた信号を出力する。流量計１８ｂ，１９ｂ、レベルセンサ１６ａ及び圧力センサ６４から出力された信号は、制御部４８に入力される。なお、圧力センサ６４は、タンク１６に配置される必要はなく、空気ライン１７における圧縮機５７とタンク１６との間の部位に配置されていてもよい。
【００７０】
制御部４８は、液体空気の要求充填量を監視する監視部６７と、監視部６７による監視結果に基づいてタンク１６に充填される液体空気の圧力を決定する圧力決定部６８と、圧力決定部６８によって決定された設定圧力に従って、切換機構６２及び調圧弁６５を制御する圧力調整部７０と、タンク１６のレベルセンサ１６ａから出力された信号に基づいて、液体空気を生成することが可能か否か決定する生成判断部５４と、を備えている。圧力決定部６８は、変換設備５０に電力余剰分が生じた場合に出力される信号に基づいて、液体空気の要求充填量を満たすことができるように、液体空気の圧力を決定する。圧力調整部７０は、圧力決定部６８によって決定された設定圧力に応じて、圧縮機５７の使用段数を決定するとともに、調圧弁６５の開度調整又は開閉制御を行う。すなわち、圧力調整部７０は、圧力決定部６８によって決定された設定圧力に基づいて、圧縮機５７の第１圧縮ステージ５７ａ及び第２圧縮ステージ５７ｂを駆動する制御信号、切換機構６２を切り換えるための制御信号及び調圧弁６５を開閉する制御信号を出力する。
【００７１】
ここで、図６を参照しつつ、第４実施形態に係る貯蔵装置１２の運転動作について説明する。まず、制御部４８は、タンク１６のレベルセンサ１６ａからの信号を受信する（ステップＳＴ１１）。生成判断部５４は、この信号に基づいて、液体空気を生成することが可能か否かを決定する（ステップＳＴ１２）。タンク１６内が液体空気で満たされた状態である場合は、ステップＳＴ１２での判断がＮＯとなり、液体空気の生成を行わない（ステップＳＴ１３）。一方、タンク１６内に更なる液体空気を充填することが可能と判断された場合（ステップＳＴ１２においてＹＥＳ）には、制御部４８は、変換設備５０から出力された信号を取得するとともに、ＬＮＧライン１８の流量計１８ｂ及び液体水素ライン１９の流量計１９ｂから出力された信号を取得する（ステップＳＴ１４，ＳＴ１５）。なお、ステップＳＴ１４及びステップＳＴ１５は、ステップＳＴ１２の前に実行してもよい。
【００７２】
そして、制御部４８が変換設備５０に電力余剰分が生じた場合に出力される信号を受信すると（ステップＳＴ１６）、制御部４８は、この電力余剰分に基づいて、タンク１６に貯蔵される液体空気の圧力を計算する（ステップＳＴ１７）。すなわち、タンク１６内の圧力が大気圧に設定される場合、液化天然ガスによって空気を液化させることはできないため、液体水素のみによって空気を液化させることになる。このため、水素冷熱を基調として液体空気を得る場合には、充電要求量に対して液体水素の冷熱量が足りない場合が生ずる。これに対し、タンク１６内の圧力が大気圧よりも高い圧力に設定される場合には、液化天然ガスによっても空気を液化させることが可能となる。このため、空気ライン１７を流れる空気の圧力が高いほど液化天然ガスによる空気の液化量を増大させることができ、充電要求量を満たすことができるようになる。したがって、電力余剰分で表される充電要求量に従って、タンク１６内の設定圧力を上げることにより、充電要求量に従った適切な空気液化量を得ることが可能となる。このため、制御部４８の圧力決定部６８は、変換設備５０から出力された信号で示される電力余剰分に基づいて、タンク１６内の液体空気の設定圧力を決定する。
【００７３】
液体空気の設定圧力が決定されると、圧力調整部７０は、圧縮機５７の使用段数を決定するとともに、決定された使用段数になるように切換機構６２を切り換える制御を行う（ステップＳＴ１８）。具体的には、決定された液体空気の設定圧力に応じて、第２圧縮ステージ５７ｂでも空気を圧縮するか、又は第２圧縮ステージ５７ｂをバイパスするかが判断される。そして、この判断結果に応じて、切換機構６２の切り換えが必要かどうかが判断される。
【００７４】
続いて、タンク１６に配置された圧力センサ６４から、液体空気の圧力値を取得し（ステップＳＴ１９）、圧力調整部７０が調圧弁６５を開閉制御することにより、タンク１６内の圧力調整を行う（ステップＳＴ２０）。また、圧縮機５７のモータ動力を取得し（ステップＳＴ２１）、圧縮機５７のモータ回転数を調整する（ステップＳＴ２２）。なお、圧縮機５７をモータ回転数一定である圧縮機５７によって構成しておいて、ステップＳＴ２１及びＳＴ２２を省略する構成としてもよい。
【００７５】
第４実施形態では、圧力決定部６８は、監視部６７による監視結果に基づいて、タンク１６に充填される液体空気の圧力を決定する。すなわち、タンク１６に充填される液体空気の圧力を上げれば、空気が液化するときの温度が上がる。このため、第１熱交換器３３において、液化天然ガスによって空気の一部を液化させることが可能となる。したがって、圧力決定部６８が、液体空気の要求充填量の監視結果に基づいて、タンク１６に充填される液体空気の圧力を決定することにより、適切な液化量に設定することが可能となる。そして、切換機構６２及び調圧弁６５を制御することにより、タンク１６に充填される液体空気の圧力を調整することができる。
【００７６】
なお、その他の構成、作用及び効果はその説明を省略するが、第１、第２及び第３実施形態の説明を第４実施形態に援用することができる。
【符号の説明】
【００７７】
１０  混焼火力発電システム
１２  液体空気エネルギー貯蔵装置
１４  混焼火力発電設備
１６  タンク
３１  ブロア（流量調整部）
４１  液体空気ポンプ
４２  気化器
４３  空気タービン
５２  監視部
５３  流量決定部
５７  圧縮機
５７ａ  第１圧縮ステージ
５７ｂ  第２圧縮ステージ
６０  バイパスライン
６２  切換機構
６４  圧力センサ
６５  調圧弁
６８  圧力決定部
７０  圧力調整部
【図１】
2020008132.tif 000003
【図２】
2020008132.tif 000004
【図３】
2020008132.tif 000005
【図４】
2020008132.tif 000006
【図５】
2020008132.tif 000007
【図６】
2020008132.tif 000008
【図７】
2020008132.tif 000009